(57)【要約】【課題】この発明は、機能装置から生じる電磁波を十分にシールドでき且つ軽量化の要求を満足できる電子機器を提供することを課題とする。【解決手段】ＨＤＤ１を保持するＨＤＤホルダー１０は、金属板により形成されたホルダー２、および絶縁シートを介してホルダー２の上面を塞ぐ金属箔４を有する。金属箔４は、延出部分Ｃ3、Ｄ3、Ｅ3をホルダー２の側板部に貼り付けることにより取り付けられる。【選択図】      図１
2005108328.tif 000002
【特許請求の範囲】
【請求項１】
複数の部品をユニット化した機能装置と、
この機能装置の筐体表面を部分的にカバーする金属板により形成され、該機能装置を固定して保持するホルダーと、
このホルダーに電気的に接続され、該ホルダーでカバーしていない上記筐体表面を部分的にカバーする金属箔と、
を備えていることを特徴とする電子機器。
【請求項２】
上記機能装置の筐体と上記金属箔との間に絶縁シートをさらに備えていることを特徴とする請求項１に記載の電子機器。
【請求項３】
上記金属箔は、上記絶縁シートに貼り付けられる主部分と、この主部分から折り曲げられて上記機能装置の筐体に貼り付けられる延出部分と、を有することを特徴とする請求項２に記載の電子機器。
【請求項４】
上記延出部分は、導電性の接着剤により上記機能装置の筐体に貼り付けられることを特徴とする請求項３に記載の電子機器。
【請求項５】
上記金属箔は、アルミニウム箔、或いは銅箔であることを特徴とする請求項１乃至４のいずれかに記載の電子機器。
【請求項６】
上記金属箔は、軽量化のための孔を有することを特徴とする請求項１乃至５のいずれかに記載の電子機器。
【発明の詳細な説明】
【技術分野】
【０００１】
この発明は、パーソナルコンピュータなどの電子機器に関する。
【背景技術】
【０００２】
従来、電子機器として、例えば、携帯可能なノート型のパーソナルコンピュータ（以下、単に、ノートＰＣと称する）が知られている（例えば、特許文献１参照。）。このノートＰＣは、ＰＣ本体内にハードディスク駆動装置（以下、単に、ＨＤＤと称する）を内蔵している。このＨＤＤは、板金製の保護ケースに格納されてＰＣ本体に組み込まれている。保護ケースは、上ケースと下ケースを有し、ＨＤＤの上面および下面を覆うように組み合わされる。
【０００３】
上述した従来の保護ケースは、全ての部分が板金により形成されている。このため、不所望に発生する電磁波のシールド効果は高いものの、重量が重くなり、装置全体として軽量化の要求に反する問題があった。
【特許文献１】特開平７−８４６７３号公報（段落［０１２９］、図２６）
【発明の開示】
【発明が解決しようとする課題】
【０００４】
この発明の目的は、機能装置から生じる電磁波を十分にシールドでき且つ軽量化の要求を満足できる電子機器を提供することにある。
【課題を解決するための手段】
【０００５】
上記目的を達成するため、本発明の電子機器は、複数の部品をユニット化した機能装置と、この機能装置の筐体表面を部分的にカバーする金属板により形成され、該機能装置を固定して保持するホルダーと、このホルダーに電気的に接続され、該ホルダーでカバーしていない上記筐体表面を部分的にカバーする金属箔と、を備えている。
【０００６】
上記発明によると、機能装置を金属板製のホルダーによって固定して保持し、ホルダーによってカバーしていない機能装置の筐体表面を金属箔により部分的にカバーするようにしている。これにより、軽量化の要求を満足しつつ、電磁波を十分にシールドできる。
【発明の効果】
【０００７】
この発明の電子機器は、上記のような構成および作用を有しているので、機能装置から生じる電磁波を十分にシールドでき且つ軽量化の要求を満足できる。
【発明を実施するための最良の形態】
【０００８】
以下、図面を参照しながらこの発明の実施の形態に係る電子機器について詳細に説明する。ここでは、電子機器として、ノート型のパーソナルコンピュータ１００（以下、単に、ノートＰＣ１００と称する）に内蔵されるハードディスク駆動装置１（以下、単に、ＨＤＤ１と称する）の保持構造について、例示して説明する。
【０００９】
図１には、ＨＤＤ１の保持構造として、ＨＤＤホルダー１０からＨＤＤ１（機能装置）を抜き出した状態の外観斜視図を示してある。ＨＤＤ１は、ここでは図示を省略するが、ディスク状の磁気記録媒体を支持および回転するスピンドルモータ、磁気ディスクの略半径方向にヘッドを移動可能に懸垂支持したアームを回動させるためのボイスコイルモータ、ヘッドＩＣなどの複数の部品を、略矩形箱形状の筐体１ａ内に内蔵してユニット化している。以下の説明では、ＨＤＤ１のここでは図示していない下面をＡ1と称し、ＨＤＤ１の上面をＢ1と称し、４つの側面をそれぞれＣ1、（Ｄ1）、Ｅ1、Ｆ1と称する。
【００１０】
ＨＤＤホルダー１０は、図２に示す金属板により形成されたホルダー２と、図３に示す金属箔４と、絶縁シート６と、を組み合わせて構成される。
【００１１】
ホルダー２は、図２に示すように、薄い金属板の複数個所にネジ孔２ａ、２ｂを形成して複数個所で折り曲げることにより形成されている。ホルダー２は、ＨＤＤ１の下面Ａ1に対向する矩形の底板部Ａ2、およびＨＤＤ１の３つの側面Ｃ1、Ｄ1、Ｅ1にそれぞれ対向する３枚の側板部Ｃ2、Ｄ2、Ｅ2を一体に有する。言い換えると、ＨＤＤ１の上面Ｂ1に対向する部分、およびＨＤＤ１のコネクタ１ｂが突出した側面Ｆ1に対向する部分は、開放している。
【００１２】
ＨＤＤ１のコネクタ１ｂから離間した側の側板部Ｅ2は、ＨＤＤホルダー２をノートＰＣ１００の本体内所定位置に固設するためのネジ孔２ａを形成した突片２ｅを有する。また、他の２枚の側板部Ｃ2、Ｄ2には、ＨＤＤホルダー１０内に挿入配置したＨＤＤ１をネジ３（図１参照）により固定するためのネジ孔２ｂがそれぞれ形成されている。尚、ＨＤＤ１の対応する２つの側面Ｃ1、Ｄ1にも、ネジ孔１ｃが形成されている。
【００１３】
金属箔４は、図３に示すように、矩形板状のプラスティックにより形成された絶縁シート６を介してＨＨＤ１の上面Ｂ1に対向する矩形の主部分Ｂ3、およびホルダー２の３つの側板部Ｃ2、Ｄ2、Ｅ2に貼り付けるための複数の延出部分Ｃ3、Ｄ3、Ｅ3を有する。絶縁シート６および主部分Ｂ3の形状は、ＨＤＤ１やホルダー２の形状に合わせられている。本実施の形態では、アルミニウム箔の１面に接着剤を塗布したシート状の金属シールを用意して、金属箔とシール層を同時に図示の形状に切り抜いて金属箔４を形成した。
【００１４】
そして、この金属箔４をホルダー２に取り付ける場合、金属箔４の主部分Ｂ3に絶縁シート６を貼り付け、絶縁シート６が下を向くようにホルダー２の開放した上面を塞ぎ、複数の延出部分Ｃ3、Ｄ3、Ｅ3を折り曲げてホルダー２の対応する側板部Ｃ2、Ｄ2、Ｅ2に貼り付ける。尚、金属箔４とホルダー２が電気的に導通する必要があるため、少なくとも延出部分を貼り付ける接着剤は、導電性を有する必要がある。
【００１５】
また、金属箔４および絶縁シート６には、ＨＨＤホルダー１０を軽量化する目的で、円形の孔４ａ、６ａが形成されている。孔４ａ、６ａの形状および大きさは、任意に設定可能であるが、軽量化のため孔を大きくし過ぎるとＨＤＤ１から発生する電磁波のシールド効果が低下するため、適当な大きさに設定する必要がある。また、プラスティックからなる絶縁シート６は比較的軽量のため、必ずしも孔６ａを設ける必要はない。
【００１６】
上記のように構成されたＨＤＤホルダー１０にＨＤＤ１を取り付ける場合、ＨＤＤホルダー１０の開口部１０ａからＨＤＤ１を挿入し、ＨＤＤホルダー１０の外側から４本のネジ３をネジ孔２ｂ、１ｃに螺合する。これにより、ＨＤＤ１がＨＤＤホルダー１０に保持固定される。
【００１７】
このようにＨＤＤ１を保持固定したＨＤＤホルダー１０は、図４に示す姿勢でノートＰＣ１００内に収容配置される。すなわち、ノートＰＣ１００の本体裏面側にホルダー２が位置し、本体側に金属箔４が位置するように、ＨＤＤホルダー１０がＰＣ本体内に収容配置される。
【００１８】
図５乃至図７には、ノートＰＣ１００をその裏面側から見た斜視図を示してある。図５は、ＨＤＤホルダー１０を収容する収容部１０１のカバー１０２を取り除いた状態を示してあり、図６には、収容部１０１内にＨＤＤホルダー１０を収容配置した状態を示してあり、図７には、収容部１０１のカバー１０２を取り付けた状態を示してある。
【００１９】
上述した姿勢でＨＤＤホルダー１０をＰＣ本体内に収容配置することにより、ノートＰＣ１００の裏面側から不所望な外圧が作用した場合、剛性の高い金属板により形成されたホルダー２により外圧からＨＤＤ１を保護することができる。
【００２０】
以上のように、本発明によると、ＨＤＤホルダー１０の一部を金属箔４により形成しているため、ＨＤＤホルダー１０の全ての部分を金属板により形成する場合と比較して、軽くでき、ＨＤＤホルダー１０を組み込むノートＰＣの重量も軽くできる。その上、ＨＤＤホルダー１０の金属箔４によって、ＨＤＤ１から発生する電磁波を十分にシールドでき、電磁波のシールド効果を低下させることがない。
【００２１】
また、本発明のＨＤＤホルダー１０は、絶縁シート６を貼り合わせた金属箔４をホルダー２の側板部に貼り合わせるだけの簡単な工程で製造でき、従来のように、板金をスポット溶接やカシメ固定などの方法によって接合する必要がなく、容易に製造でき、製造コストを低減できる。
【００２２】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００２３】
例えば、上述した実施の形態では、金属箔４としてアルミニウム箔を用いた場合について説明したが、これに限らず、銅箔など電磁波のシールド特性が良好な他の金属箔を用いても良い。
【００２４】
また、上述した実施の形態では、本発明をＨＤＤ１の保持構造に適用した場合について説明したが、これに限らず、光ディスク装置などの他の機能装置の保持構造に本発明を適用することもできる。
【００２５】
さらに、上述した実施の形態では、ホルダー２の上面を金属箔４によってカバーする構造としたが、これに限らず、例えば、ＨＤＤ１のコネクタ１ｂから離間した側のホルダー２の側板部Ｅ2を無くして、代りに、ホルダー２の上面および１つの側面を金属箔によってカバーする構造としても良い。いずれにしても、ホルダー２がＨＤＤ１の一部をカバーし、ホルダー２がカバーしていないＨＤＤ１の筐体表面を金属箔４によって部分的にカバーするように、ホルダー２および金属箔４の形状を設計すれば良い。
【図面の簡単な説明】
【００２６】
【図１】この発明の実施の形態に係るＨＤＤホルダーからＨＤＤを抜き取った状態を示す分解斜視図。
【図２】図１のＨＤＤホルダーの金属板部分を示す斜視図。
【図３】図１のＨＤＤホルダーの金属箔および絶縁シートを示す斜視図。
【図４】ＨＤＤホルダーをノートＰＣ本体内に収容配置した状態を示す断面図。
【図５】ＰＣ本体の収容部のカバーを取り外した状態を示すノートＰＣの底面図。
【図６】収容部内にＨＤＤホルダーを収容配置した状態を示す底面図。
【図７】収容部のカバーを取り付けた状態を示す底面図。
【符号の説明】
【００２７】
１…ＨＤＤ、２…ホルダー、３…ネジ、４…金属箔、６…絶縁シート、１０…ＨＤＤホルダー、１００…ノートＰＣ、１０１…収容部、１０２…カバー。
【図１】
2005108328.tif 000003
【図２】
2005108328.tif 000004
【図３】
2005108328.tif 000005
【図４】
2005108328.tif 000006
【図５】
2005108328.tif 000007
【図６】
2005108328.tif 000008
【図７】
2005108328.tif 000009